(57)【特許請求の範囲】
【請求項１】
上下方向に間隔をおいて片持支持される複数枚の床材をほぼ入子式に収納および展開可能とし、展開姿勢の床材の先端部分を、下段側にヒンジ連結して設けた支持アームにより支持する移動観覧席の床材支持装置であって、
支持アームのヒンジ部を上下方向に可動とし、支持アームを、それの荷重支持部が床材の下面に接触する起立方向に向けて付勢し、支持アームのヒンジ部から荷重支持部までの高さを、その荷重支持部がヒンジ部より後方側に位置する姿勢で前方側に位置する姿勢より高くし、床材の下面側に、下段側床材の展開作動に伴って、前記荷重支持部を前記ヒンジ部より後方側へ変位させ、下段側床材の収納作動に伴って、その荷重支持部をヒンジ部より前方側へ変位させるアーム回動手段を設け、また、床材の限界展開位置を特定する位置決め手段を設けてなる移動観覧席の床材支持装置。
【請求項２】
支持アームの荷重支持部を、支持アームに設けた水平ローラもしくは水平ピンにより構成してなる請求項１に記載の移動観覧席の床材支持装置。
【請求項３】
支持アームの荷重支持部を、支持アームそれ自体の上端面により構成してなる請求項１に記載の移動観覧席の床材支持装置。
【請求項４】
支持アームを、中間部をヒンジ連結したほぼく字状の折曲部材により構成し、この支持アームの上端部を、アーム回動手段に掛合させてなる請求項１もしくは２に記載の移動観覧席の床材支持装置。
【請求項５】
アーム回動手段に、下段側床材の展開途中で支持アームに掛合するアーム引起こし舌片を設けるとともに、下段側床材の収納途中で支持アームから離脱するアーム引倒し舌片を設けてなる請求項４に記載の移動観覧席の床材支持装置。
【請求項６】
前記位置決め手段を、支持アームと、アーム引起こし舌片と、支持アームの下端部に当接する回動拘束部材とで構成してなる請求項５に記載の移動観覧席の床材支持装置。
【請求項７】
アーム引起こし舌片を前後方向に可動としてなる請求項６に記載の移動観覧席の床材支持装置。
【発明の詳細な説明】
【０００１】
【発明の属する技術分野】
この発明は、通常は、複数の椅子を起立、倒伏可能に設置される床材の複数枚を、敷設面上に所要に応じて階段状に展開して即席の観覧席を設けることを可能とし、この一方で、観覧席の不使用時には、複数枚の床材の相互を、上下方向に整列させて収納することで、敷設面の開放を可能とするほぼ入子式構造の移動観覧席において、支柱によって片持支持される床材の展開姿勢で、それの先端部分を、敷設面の傾斜態様等に影響されることなく確実に支持する床材支持装置に関するものである。
【０００２】
【従来の技術】
上下方向に所定の間隔をおいて支柱に片持支持される複数枚の床材をほぼ入子式に収納および展開可能とした従来のこの種の移動観覧席としては図５に例示するようなものがある。
【０００３】
これは、それぞれの台車１１１ａ，１１１ｂ，１１１ｃの後端部分に立設したそれぞれの支柱１１２ａ，１１２ｂ，１１２ｃの上端部分に、それぞれの床材１１３ａ，１１３ｂ，１１３ｃをほぼ水平姿勢で片持支持したものであり、それぞれの台車１１１ａ，１１１ｂの進出作動に基づいて床材１１３ａ，１１３ｂ，１１３ｃを、図５（ｂ）に示すような展開状態とする一方、それらの台車の後退作動により、床材１１３ａ，１１３ｂ，１１３ｃを図５（ａ）に示すような収納状態とするものである。
【０００４】
ここで、それぞれの床材１１３ａ，１１３ｂ，１１３ｃ、なかでも、床材１１３ｂ，１１３ｃは、それらの展開状態の下で、各先端部分を下段側の床材上に設けた支持手段１１４ａ，１１４ｂによって支持することで、床材１１３ｂ，１１３ｃへの荷重の作用に対し、床材の撓み変形等を有効に阻止することができる。なお、最下段の床材１１３ａの先端部分は、台車１１１ａそれ自体に設けた図示しない支持手段により支持することで、それの撓み変形等を十分に防止することができる。
【０００５】
ところで、従来技術のこのような支持手段は、一の支持手段１１４ａを例にとって図６に拡大して示すように、支柱１１２ａの上端部に取付けられて床材の左右方向に水平に延在する貫材１１５の上面に、マウント部材１１６を介して、ローラ１１７を水平に配設することにより構成してなり、ここにおけるローラ１１７は、上段側床材１１３ｂに対する下段側床材１１３ａの展開姿勢で、上段側床材１１３ｂの前後方向に延びる補助アーム１１８に下面側から接触して床材１１３ｂの先端部分を支持するべく機能する。
【０００６】
なお図中１１９は、マウント部材１１６に、そこから前方側へ突出させて設けた位置決めボルトを示し、この位置決めボルト１１９は、下段側床材１１３ａの限界展開位置で、補助アーム１１８に取付けたストッパ１２０に当接する。
【０００７】
【発明が解決しようとする課題】
しかるに、上述したような従来の支持手段は、ローラ１１７の高さを調整したり、ローラ１１７による支持レベルを変化させたりすることが不可能であるが故に、それぞれの床材を、図５に示すような、実質的な水平面をなす敷設面１２１上で階段状に展開する場合には、それぞれの床材１１３ｂ，１１３ｃの先端部分を支持手段１１４ａ，１１４ｂをもって支持することが可能ではあっても、その支持手段を、図７に示すような傾斜敷設面１２２上で展開および収納される移動観覧席にそのまま適用した場合には、それぞれの床材１１３ａ，１１３ｂ，１１３ｃの上下方向の間隔が、床材の収納時に比して展開時に大きくなることに起因して、展開姿勢の床材を十分に支持することができないという問題があった。
【０００８】
この発明は、従来技術が抱えるこのような問題点を解決するものであり、それの目的とするところは、たとえば、競輪場のバンクの如くの傾斜面に対しても移動観覧席の床材の展開および収納を十分可能ならしめる移動観覧席の床材支持装置を提供するにある。
【０００９】
【課題を解決するための手段】
この発明の、移動観覧席の床材支持装置は、それぞれの台車に立設した支柱によって、上下方向に所定の間隔をおいて片持支持される複数枚の床材のそれぞれをほぼ入子式に収納および展開可能とし、展開姿勢の床材の先端部分を、下段側の床材と関連する部分にヒンジ連結して設けた支持アームによって支持するものであり、支持アームのヒンジ部を所要に応じて上下動可能とし、支持アームそれ自体を、それの荷重支持部が床材の下面に直接的もしくは間接的に接触する起立方向に向けて付勢し、そして、支持アームのヒンジ部から荷重支持部までの高さを、その荷重支持部がヒンジ部より後方側に位置する姿勢で前方側に位置する姿勢より高くし、また、床材の下面側に、下段側床材の展開作動に伴って、前記荷重支持部を前記ヒンジ部より後方側へ変位させる一方、下段側床材の収納作動に伴って、その荷重支持部をヒンジ部より前方側へ変位させるアーム回動手段を設け、さらに、床材の限界展開位置を特定する位置決め手段を設けたものである。
【００１０】
この床材支持装置では、それぞれの床材の、傾斜敷設面上での展開に当たり下段側の床材の展開の初期においては、支持アームのヒンジ部に対して荷重支持部を前方側に位置させて、その荷重支持部を、相対的に低い高さの下で、支持アーム付勢力に基づいて上段側の床材に接触させて、床材の円滑なる展開作動を可能ならしめる。
この一方で、下段側の床材の、展開の限界位置近傍部分では、上段側の床材の下面側に設けたアーム回動手段をもって、支持アームの荷重支持部を、ヒンジ部の後方側へ強制的に回動させて、そのヒンジ部から荷重支持部までの高さの、所要に応じた増加をもたらし、これにより、高さの増加した荷重支持部をもって、上段側床材の先端部分の、確実にして十分な支持を実現する。
【００１１】
なおここで、荷重支持部の高さのこのような増加によってなお、それによる上段側床材の支持を実現し得ない場合には、支持アームのヒンジ部それ自体の高さを増加させることで、上段側床材の支持を確実ならしめることができる。
【００１２】
かくしてここでは、床材相互の間隔が床材の展開作動に伴って次第に増加する場合に、荷重支持部の、ヒンジ部からの高さを、床材の展開作動に基づいて強制的に増加させることによって、上段側の床材の先端部分を常に有効に支持することができる。
【００１３】
ところで、ここにおける荷重支持部、ひいては、支持アームの、それ以上の回動運動の継続に起因する、その荷重支持部の高さの減少は、下段側床材の限界展開位置とともに、支持アームの回動限位置を特定する位置決め手段によって阻止されるので、下段側床材をその限界展開位置まで展開させることで、荷重支持部による上段側床材の支持が、常に確実に実現されそして維持されることになる。
【００１４】
また、この支持装置において、下段側の床材を上段側のそれに対して収納作動させるに当たっては、その下段側床材の収納変位に基づいて、支持アームを、上段側床材のアーム回動手段によって強制的に回動させて、それの荷重支持部を再びヒンジ部の前方側にもたらすことで、その下段側床材の収納変位を十分円滑ならしめることができる。ここで、荷重支持部がヒンジ部の前方側に位置する、このような支持アーム姿勢では、その支持アームは、たとえば、ばねその他の弾性手段によって起立方向に付勢されているにすぎないので、床材の収納の進行に伴う、上下床材の間隔の減少に対しては、その弾性手段の変形をもって十分に対処することができる。
【００１５】
以上のような装置において、支持アームの荷重支持部は、支持アームに取付けた水平ローラもしくは水平ピンによって構成することができる他、支持アームそれ自体の上端面によって構成することもでき、とくに水平ローラを用いた場合には、荷重支持部と、上段側床材との摩擦力および、それらの摩耗を有効に低減させることができる。
【００１６】
またここでは、支持アームを、中間部をヒンジとしたほぼく字状の折曲部材により構成し、そしてその支持アームの上端部分を、床材の限界展開位置の近傍部分で、アーム回動手段に掛合させることが好ましく、これによれば、アーム回動手段により、支持アームの荷重支持部を、床材の展開および収納作動に基づいて所要の位置へ自動的に、しかも円滑にかつ確実に変位させることができる。
【００１７】
さらに、アーム回動手段には、下段側床材の展開途中で、支持アームに掛合するアーム引起こし舌片と、下段側床材の収納途中で支持アームから離脱するアーム引倒し舌片とを設けることが好ましく、これよれば、とくには下段側床材の収納作動を、荷重支持部の、支持アームの倒伏側への変位と併せて十分円滑に行わせることができる。
【００１８】
また好ましくは、前記位置決め手段を、支持アームと、アーム引起こし舌片と、支持アームの下端部に当接する回動拘束部材とで構成し、これによる位置決めを、直接的には、支持アームの余剰の回動運動を拘束することをもって行うことで、その支持アームが回動しすぎることに起因する、荷重支持部の、意図しない高さの減少を有利に防止することができる。
【００１９】
そしてより好ましくは、アーム引起こし舌片を、調整ボルトその他によって前後方向に可動とすることで、下段側床材の限界展開位置を所要に応じて適宜に調節することができる。
【００２０】
【発明の実施の形態】
以下にこの発明の実施の形態を図面に示すところに基づいて説明する。
図１は、この発明の実施の形態を、複数枚の床材の展開状態で示す側面図であり、図中１は、移動観覧席の傾斜敷設面を示し、２，３，４はそれぞれ、限界位置まで進出変位させた台車を示す。
【００２１】
ここで、台車２，３，４の、車輪を設けた下部フレームは、水平面に対して、傾斜敷設面１と対応する角度で傾斜する。このような各台車２，３，４の後端部分には垂直上方へ突出する支柱５，６，７を立設し、これらの各支柱５，６，７の上端部には、各床材８，９，１０を前方側へほぼ水平に突出させて片持ち状態で取付ける。
【００２２】
またここでは、各床材８，９，１０の後端部分に、床材８，９，１０の図示のような展開状態で、上段側の床材の先端部分を有効に支持する支持装置１１，１２，１３を設ける。
なおここで、最下段の床材８の先端部分は、台車２の先端部から上方へ突出させて設けた支柱２ａに連結することで支持する。
【００２３】
図２は、このような支持装置を、それらの一の装置１１を例として示す拡大側面図および背面図であり、図中１４は、床材８の後端部分に、その床材８の幅方向、いいかえれば、図２（ｂ）の左右方向に所要の間隔をおいて設けたほぼ箱状の支持フレームを示す。
【００２４】
ここでは、支持フレーム１４の段下がり頂壁１４ａに、高さ調整ボルト１５によってクレビス１６を固定し、このクレビス１６に水平に貫通させた回転軸１７の両端に、一対の、ほぼく字状の折曲部材１８ａからなる支持アーム１８の中間部を連結する。
【００２５】
支持アーム１８のこの連結は、図に示すところでは、それの上端側部分をほぼ垂直方向に向けた姿勢の下で、折曲部より下端側の、斜めに延びる部分を回転軸１７に連結することにより行い、またここでは、支持アーム１８を、回転軸上に配置した捩りコイルばね１９の一端をその支持アーム１８に、そしてその他端をクレビス１６にそれぞれ貫通させることによって、通常はそれの起立方向、図２（ａ）に示すところでは時計方向に付勢する。
【００２６】
そして、かかる支持アーム１８の上端部には、上段側床材９の前後方向に延在させた補助アーム９ａの下面に接触する、荷重支持部としてのローラ２０を、水平姿勢で回転自在に取付けて設け、また、その下端部には、支持フレーム１４に取付けられて、床材８の左右方向、すなわち、図２（ｂ）の左右方向に延びる貫材２１に面接触する当接板２２に設ける。
【００２７】
これに対し、上段側床材９の下面側には、支持アーム１８の上端部に掛合して、荷重支持部としてのローラ２０を、回転軸１７に対する前方側および後方側のそれぞれに変位させるアーム回動手段２３を設ける。少なくとも一方のく字状折曲部材１８ａに対応させて構成することができるこのアーム回動手段２３は、補助アーム９ａの側部に、前後調整ボルト２４を介して、チャンネル状部材２５を下方側に開口させて取付け、このチャンネル状部材２５の、床材９の前方側に位置する一方のフランジを、他方のフランジより下方へ長く突出する、支持アーム１８の引起こし舌片２５ａとし、床材９の後方側に位置する、突出長さの短い他方のフランジを、支持アーム１８に当接してそれを、前記捩りコイルばね１９のばね力に抗して倒伏方向に回動させるとともに、下段側床材８の収納途中で支持アーム１８から離脱する、支持アーム１８の引倒し舌片２５ｂとする。
【００２８】
ところで、図２に示す支持アームは、下段側床材８がそれの限界展開位置に達したときの状態を示し、ここでは、支持アーム１８は、ローラ２０の、回転軸１７に対する相対高さを増加されて、上段側床材９の先端部分を有効に支持する。
【００２９】
なおここで、下段側床材８の、図示の位置を越える展開変位は、位置決め手段として機能する、支持アーム１８と、前記引起こし舌片２５ａと、貫材２１との相互の当接によって確実に阻止されることになり、このときの限界展開位置は、調整ボルト２４をもって、引起こし舌片２５ａの前後方向位置を変更することで、適宜に調節することができる。
【００３０】
以上のように構成してなる床材支持装置の作用を以下に説明する。
たとえば、図７（ａ）に示すような収納状態にある床材の、最下段のものを傾斜敷設面上で展開する場合についてみるに、最下段の床材と、それの上段側床材との間隔は、最下段床材の展開の進行に伴って漸次増加することになる。この場合、荷重支持部としてのローラ２０は、図３（ａ）に側面図で示すように、ヒンジ部としての回転軸１７の前方側に位置して、支持アーム１８を起立方向に付勢する捩りコイルばね１９の作用下で、床材間隔のいかんにかかわらず、上段側床材９の補助アーム９ａの下面に常時接触する。
【００３１】
下段側床材８のこのような展開がさらに進行して、支持アーム１８の上端部が、上段側床材９の先端部分に設けたアーム回動手段２３に近接した場合には、図３（ｂ）に示すように、支持アーム１８の上端部は、下方側への突出長さを予め短く選択した引倒し舌片２５ｂの下方を通過して、突出長さ長い引起こし舌片２５ａに当接する。
【００３２】
ここで、床材８の展開がより一層進行すると、支持アームそれ自身の前方側への変位が、引起こし舌片２５ａとの当接によって拘束されることに起因して、その支持アーム１８は、図３（ｃ）および（ｄ）に示すように、回転軸１７の回りで、ローラ２０が回転軸１７の後方側に位置する姿勢となるように引き起こし回動され、この引き起こし回動は、支持アーム１８の同方向への回動が図３（ｄ）に示すような、それと、引起こし舌片２５ａと、貫材２１との相互の衝接によって拘束されて、回転軸１７に対するローラ２０の高さが相対的に高くなった位置にて停止される。
【００３３】
つまりここでは、支持アーム１８の折曲度、ヒンジ位置等を選択することで、それのローラ２０が回転軸１７の後方側の特定位置まで回動して、支持アーム１８の上端側部分がほぼ垂直姿勢となったときに、回転軸１７に対するローラ高さが、支持アーム上端部が引起こし舌片２５ａに当接する前にあって、ローラ２０が回転軸１７の前方側に位置するいずれの場合に比べても、十分高くなる。
【００３４】
従ってこの装置では、下段側床材８の限界展開位置を特定する位置決め手段、すなわち、上記支持アーム１８、引起こし舌片２５ａおよび貫材２１のそれぞれが図３（ｄ）に示すように作用して、その床材８と上段側床材９との間隔が最も大きくなった時点で、ローラ２０の高さもまた高くなり、この結果として、そのローラ２０による、上段側床材９の支持が確実に実現されることになる。
【００３５】
そしてこのような荷重の支持状態の下では、ローラ２０に作用する力は、回転軸１７を介して貫材２１に支持されることになるので、荷重支持構造は十分安定なものとなる。
【００３６】
なおここで、支持アーム１８の、図３（ｄ）に示すような引き起こし姿勢において、ローラ２０による、上段側床材９の支持を十分適正に行い得ない場合には、高さ調整ボルト１５の操作によって、回転軸１７の高さを適宜に変更することで、最適な支持状態をもたらすことができる。
【００３７】
この一方で、使用を終えた移動観覧席の床材を収納する場合には、たとえば、図３（ｄ）に示すような展開状態にある床材８を収納方向に変位させることで、はじめに、図４（ａ）に示すように、引起こし姿勢にある支持アーム１８の上端部と引倒し舌片２５ｂとの当接をもたらす。
【００３８】
次いで、その床材８の収納の進行に基づき、引倒し舌片２５ｂで、支持アーム１８を、図４（ｂ）に示すように、ローラ２０の幾分の上昇変位をもたらしつつ、捩りコイルばね１９のばね力に抗して、そのローラ２０が回転軸１７の前方側に位置する姿勢となるように引き倒し、そして、この引き倒しが終了することで、図４（ｃ）に示すように、支持アーム１８の上端部の、引倒し舌片２５ｂとの干渉の解消をもたらして、支持アーム１８の、アーム回動手段２３からの離脱を可能ならしめ、それ以後は、床材８の自由な収納変位を許容する。
【００３９】
なお、支持アーム１８のローラ２０は、床材８のこのような自由な収納変位に当たっても、捩りコイルばね１９の作用下で、上段側床材９の補助アーム９ａに接触して幾分の荷重支持機能を発揮する。
【００４０】
かくして、この床材支持構造によれば、傾斜敷設面１上で移動観覧席の床材８，９，１０を展開させる場合の、床材相互の上下間隔の増加に対し、支持アーム１８の引起こし作動に基づいて、それのローラ２０の、回転軸１７からの高さを高めることによって対処することで、展開状態とした下段側床材の支持アーム１８による、上段側床材の先端部分の支持を常に確実に実現することができ、併せて、その支持態様を十分安定なものとすることができる。
【００４１】
【発明の効果】
以上に述べたところから明らかなように、この発明によれば、とくには床材の展開作動に基づいて、支持アームの荷重支持部の高さを増加させることにより、移動観覧席の床材を、競輪場のバンクの如くの傾斜敷設面上で展開する場合であっても、上段側床材の先端部分を、その荷重支持部をもって常に確実に支持することができる。
【図面の簡単な説明】
【図１】この発明の実施の形態を示す側面図である。
【図２】床材支持装置の態様を示す拡大図である。
【図３】床材の展開時における、図２に示す装置の作動工程図である。
【図４】床材の収納時における、図２に示す装置の作動工程図である。
【図５】従来技術を示す側面図である。
【図６】従来の床材支持装置を示す拡大図である。
【図７】従来技術の床材の、傾斜敷設面上への配設態様を示す側面図である。
【符号の説明】
１  傾斜敷設面
２，３，４  台車
５，６，７  支柱
８，９，１０  床材
９ａ  補助アーム
１１，１２，１３  支持装置
１４  支持フレーム
１４ａ  頂壁
１５  高さ調整ボルト
１６  クレビス
１７  回転軸
１８  支持アーム
１８ａ  折曲部材
１９  捩りコイルばね
２０  ローラ
２１  貫材
２２  当接板
２３  アーム回動手段
２４  前後調整ボルト
２５  チャンネル状部材
２５ａ  引起こし舌片
２５ｂ  引倒し舌片
【図１】
0003914637.tif 000002
【図２】
0003914637.tif 000003
【図３】
0003914637.tif 000004
【図４】
0003914637.tif 000005
【図５】
0003914637.tif 000006
【図６】
0003914637.tif 000007
【図７】
0003914637.tif 000008